(57)【特許請求の範囲】
【請求項１】
入力装置付近に備えられた対人センサから人の存在検出通知を受けているときに、
第１の管理物に付された物ＩＤソースから、前記第１の管理物の物ＩＤを前記入力装置経由で入力して、当該物ＩＤに対応する付帯情報を表示装置に出力した後、
第２の管理物に付された物ＩＤソースから前記第２の管理物の物ＩＤを前記入力装置経由で入力した場合は、当該物ＩＤに対応する付帯情報を表示装置に出力し、
続けて、利用者ＩＤソースから利用者ＩＤを前記入力装置経由で入力した場合は、前記利用者ＩＤと入力された前記物ＩＤと対応付けて管理ファイルに格納し、
前記物ＩＤの入力後であって前記利用者ＩＤの入力前に前記対人センサから人の不在検出通知を受けると前記物ＩＤの入力情報を無効とする、管理部を備える管理装置。
【請求項２】
前記物ＩＤソースは前記物ＩＤと前記付帯情報を格納するＩＣタグであり、  前記管理部は、前記付帯情報を前記ＩＣタグから入力する請求項１の管理装置。
【請求項３】
前記物ＩＤソースはＩＣタグまたはコードラベルであり、  前記管理部は、前記付帯情報を、前記物ＩＤに対応する前記付帯情報を格納する情報表から入力する請求項１の管理装置。
【請求項４】
前記利用者ＩＤソースはＩＣタグであり、  前記管理部は、前記物ＩＤを前記利用者ＩＤソースに格納する請求項１ないし３のいずれかの管理装置。
【請求項５】
前記管理部は、前記利用者ＩＤと前記物ＩＤに対応付けて日付を格納し、前記利用者ＩＤと前記物ＩＤが対応付けられて前記管理ファイルに格納済みであることを検出した場合に、前記日付の更新を行う請求項１ないし４のいずれかの管理装置。
【請求項６】
請求項１ないし５のいずれかの管理装置、前記対人センサ、および、前記入力装置からなる管理システム。
【請求項７】
コンピュータに、前記入力装置および前記表示装置付近に備えられた対人センサから人の存在検出通知を受けているときに、第１の管理物に付された物ＩＤソースから、前記第１の管理物の物ＩＤを入力装置経由で入力して、当該物ＩＤに対応する付帯情報を表示装置に出力した後、
第２の管理物に付された物ＩＤソースから前記第２の管理物の物ＩＤを前記入力装置経由で入力した場合は、当該物ＩＤに対応する付帯情報を表示装置に出力し、
続けて、利用者ＩＤソースから利用者ＩＤを前記入力装置経由で入力した場合は、前記利用者ＩＤと入力された前記物ＩＤと対応付けて管理ファイルに格納し、
前記物ＩＤの入力後であって前記利用者ＩＤの入力前に前記対人センサから人の不在検出通知を受けると前記物ＩＤの入力情報を無効とする管理処理を実行させる管理プログラム。
【請求項８】
前記コンピュータに、前記物ＩＤと前記付帯情報を格納する前記物ＩＤソースとしてのＩＣタグから前記付帯情報を入力する前記管理処理を実行させる請求項７の管理プログラム。
【請求項９】
前記コンピュータに、前記物ＩＤソースとしてのＩＣタグまたはコードラベルから入力した前記物ＩＤに対応する前記付帯情報を格納する情報表から、前記付帯情報を入力する前記管理処理を実行させる請求項７の管理プログラム。
【請求項１０】
前記コンピュータに、前記利用者ＩＤソースとしてのＩＣタグに前記物ＩＤを格納する前記管理処理を実行させる請求項７ないし９のいずれかの管理プログラム。
【請求項１１】
コンピュータが、前記入力装置および前記表示装置付近に備えられた対人センサから人の存在検出通知を受けているときに、第１の管理物に付された物ＩＤソースから、前記第１の管理物の物ＩＤを入力装置経由で入力して、当該物ＩＤに対応する付帯情報を表示装置に出力した後、
第２の管理物に付された物ＩＤソースから前記第２の管理物の物ＩＤを前記入力装置経由で入力した場合は、当該物ＩＤに対応する付帯情報を表示装置に出力し、
続けて、利用者ＩＤソースから利用者ＩＤを前記入力装置経由で入力した場合は、前記利用者ＩＤと入力された前記物ＩＤと対応付けて管理ファイルに格納し、
前記物ＩＤの入力後であって前記利用者ＩＤの入力前に前記対人センサから人の不在検出通知を受けると前記物ＩＤの入力情報を無効とする管理行程を有する管理方法。
【発明の詳細な説明】
【技術分野】
【０００１】
本発明は管理システム、管理装置、管理プログラム、および、管理方法に関する。
【背景技術】
【０００２】
特許文献１には、マルチリードコマンドにより利用証とビデオテープの各々のＩＤタグから各々のＩＤを入力して、両ＩＤを対応付ける情報を各々のＩＤタグに格納するレンタル管理システムが開示されている。
【０００３】
特許文献２には、近辺に人がいるか否か検知するセンサを備え、人がいないとき搬送波信号の発生を停止する無線カード処理装置が開示されている。
【０００４】
【特許文献１】特開２００１−９２８８８号公報
【特許文献２】特開２０００−２０６４８号公報
【発明の開示】
【発明が解決しようとする課題】
【０００５】
上述の特許文献の技術は、管理物に付された物ＩＤソースから、前記管理物の物ＩＤを入力装置経由で入力して、当該物ＩＤに対応する付帯情報を表示装置に出力した後、利用者ＩＤソースから利用者ＩＤを前記入力装置経由で入力して、前記利用者ＩＤと前記物ＩＤと対応付けて格納するものではない。従って、利用者の操作を簡単にして、利用者の利便性を向上することが出来ないという課題がある。
【０００６】
本発明の目的は、上述の課題を解決する管理システム、管理装置、管理プログラム、および、管理方法を提供することにある。
【課題を解決するための手段】
【０００７】
本発明の一実施形態の管理装置は、管理物に付された物ＩＤソースから、前記管理物の物ＩＤを入力装置経由で入力して、当該物ＩＤに対応する付帯情報を表示装置に出力した後、利用者ＩＤソースから利用者ＩＤを前記入力装置経由で入力して、前記利用者ＩＤと前記物ＩＤと対応付けて管理ファイルに格納する管理部を備える。
【０００８】
本発明の一実施形態の管理プログラムは、コンピュータに、管理物に付された物ＩＤソースから、前記管理物の物ＩＤを入力装置経由で入力して、当該物ＩＤに対応する付帯情報を表示装置に出力した後、利用者ＩＤソースから利用者ＩＤを前記入力装置経由で入力して、前記利用者ＩＤと前記物ＩＤと対応付けて管理ファイルに格納する管理処理を実行させる。
【０００９】
本発明の一実施形態の管理方法は、コンピュータが、管理物に付された物ＩＤソースから、前記管理物の物ＩＤを入力装置経由で入力して、当該物ＩＤに対応する付帯情報を表示装置に出力した後、利用者ＩＤソースから利用者ＩＤを前記入力装置経由で入力して、前記利用者ＩＤと前記物ＩＤと対応付けて管理ファイルに格納する管理行程を有する。
【発明の効果】
【００１０】
本発明は、利用者の操作を簡単にして、利便性を向上させることが出来る。
【発明を実施するための最良の形態】
【００１１】
図１は、本発明の第１の実施形態にかかる管理システム９０を示す。この管理システム９０は、例えば、図書館における図書貸し出しシステムやレンタルビデオ屋におけるビデオ貸し出しシステムである。管理システム９０は、ネットワークで接続された管理装置１０と端末装置２０から構成される。
【００１２】
管理装置１０は、管理部１１、カレンダー１３、情報表５０、管理ファイル６０、および、候補リスト１２を備える。カレンダー１３は現在の年月日を保持している時計などである。
【００１３】
情報表５０は、磁気ディスクや記憶装置などに格納されて、物ＩＤ３２と、当該物ＩＤ３２に対応する付帯情報５１を記憶する。管理ファイル６０は磁気ディスクや記憶装置などに格納されて、物ＩＤ３２、利用者ＩＤ４２、および、日付６１を対応付けて記憶する。候補リスト１２は、磁気ディスクや記憶装置などに格納されて、物ＩＤ３２を格納する。
【００１４】
端末装置２０は、表示装置２１、入力装置２２、対人センサ２３、および、キーボード２４を付近に備える。
【００１５】
表示装置２１は、ディスプレイなどであり、付帯情報５１を表示する。付帯情報５１は、管理物３０の属性情報である。付帯情報５１は、例えば、図書やビデオのタイトル、著者名、持ち出し可不可、ジャンル、年齢制限などの情報である。
【００１６】
入力装置２２は、管理物３０に付された物ＩＤソース３１から物ＩＤ３２を入力する為の、例えば、ＩＣタグリーダである。また、入力装置２２は、利用証４０に付された利用者ＩＤソース４１から利用者ＩＤ４２を入力する。ここで、付すとは、はりつけ、ぶら下げ、埋め込み、印刷など、管理物３０と物ＩＤソース３１（または、利用証４０と利用者ＩＤソース４１）を対応付けることを意味する。
【００１７】
ここで、管理物３０は、例えば、図書館における図書やレンタルビデオ屋におけるビデオなどの貸し出し対象物である。物ＩＤソース３１は、例えば、ＩＣタグであり、図書やビデオの識別子である物ＩＤ３２を記憶している。
【００１８】
利用証４０は、図書館の利用者証書、レンタルビデオ屋の会員証書などである。利用者ＩＤソース４１は、例えば、ＩＣタグであり、利用者や会員の識別子である利用者ＩＤ４２を記憶している。
【００１９】
対人センサ２３は、その付近に利用者がいるかいないかを赤外線などを使用して検出するセンサである。対人センサ２３は、付近に人がいれば存在検出通知を出力し、いなければ不在検出通知を出力する。
【００２０】
なお、表示装置２１、入力装置２２、対人センサ２３、および、キーボード２４は、端末装置２０の一部としてではなく、相互に付近に配置された独立の装置として、ネットワーク経由で、または、直接に管理装置１０に接続されても良い。表示装置２１は、利用者がその表示を読み取れる範囲であれば入力装置２２と対人センサ２３の付近に設置されていなくても良い。キーボード２４はなくても良い。
【００２１】
図２は、管理部１１のフローチャートである。本実施形態において、管理部１１はハードウェアで実現されてもよいし、コンピュータである管理装置１０のプロセッサが記憶域に格納されている管理プログラム１９を入力して実行することで同等な機能を果たすように実現されてもよい。
【００２２】
管理部１１は、対人センサ２３が付近に利用者がいることを検知するまで、すなわち、対人センサ２３から人の存在検出通知を入力するまで待ち合わせる（Ｓ１でＮ）。
【００２３】
対人センサ２３から人の存在検出通知を入力すると（Ｓ１でＹ）、同部は、入力装置２２経由で、物ＩＤソース３１から物ＩＤ３２を入力するのを待ち合わせる（Ｓ２でＮ）。物ＩＤ３２を入力すると（Ｓ２でＹ）、同部は、入力した物ＩＤ３２を候補リスト１２に登録する（Ｓ３）。同部は、情報表５０から当該物ＩＤ３２に対応する付帯情報５１を入力して、表示装置２１に出力する（Ｓ４）。
【００２４】
その後、同部は、入力監視を行う（Ｓ５）。入力監視とは、入力装置２２、対人センサ２３、または、キーボード２４のいずれかからの入力を待ち合わせることを意味する。入力結果に基づき、同部は、以下の１）ないし４）のいずれかの処理を行う。
【００２５】
１）入力装置２２から、別の物ＩＤ３２を引き続き入力した場合、同部は、当該別の物ＩＤ３２を候補リスト１２に追加登録し（Ｓ３）、対応する付帯情報５１を表示装置２１に追加出力する（Ｓ４）。その後、同部は、同様に３個目以降の物ＩＤ３２を入力して（Ｓ５）、同様に処理する（Ｓ３およびＳ４）こともある。
【００２６】
２）入力装置２２から、利用者ＩＤ４２を入力した場合、同部は、当該利用者ＩＤ４２、候補リスト１２に登録されている各物ＩＤ３２、および、日時６１を対応付けて管理ファイル６０に登録する。このとき、同部は、カレンダー１３を読み込んで一定期間先の日の日付６１を算出して管理ファイル６０に格納する。その後、同部は、候補リスト１２を初期化してその内容を無効とする（Ｓ６）。本ステップで更新された管理ファイル６０に基づいて、管理システム９０の管理者は管理物３０と利用者との関係（例えば、図書やビデオを当該利用者に、日付６１期限で貸し出していること）を管理することが可能となる。その後、同部は、対人センサ２３による新たな利用者の検知を行う（Ｓ１）。
【００２７】
また、同部は、当該利用者ＩＤ４２とある物ＩＤ３２が対応して既に管理ファイル６０に登録済みであることを検出した場合に、日付６１の更新だけをするようにしても良い。これは、例えば、既に貸し出している管理物３０の貸出期限延長処理となる。
【００２８】
３）対人センサ２３から人の不在検出通知を入力した場合、同部は、候補リスト１２を初期化してその内容を無効とし（Ｓ８）、その後、対人センサ２３による新たな利用者の検知を行う（Ｓ１）。
【００２９】
４）キーボード２４からやり直し指示を入力した場合は、同部は、候補リスト１２を初期化してその内容を無効とし（Ｓ７）、その後、入力装置２２経由で、物ＩＤソース３１から物ＩＤ３２を入力するのを待ち合わせる（Ｓ２でＮ）。
【００３０】
本実施形態の管理システム９０は利用者の利便性を向上させる。利便性の向上は以下の効果によりもたらされる。管理システム９０が貸し出しシステムである場合を例に説明する。
【００３１】
第１の効果は利用者による貸し出し手続きを簡単にできることである。利用者は、管理物３０（図書やビデオ等）をＩＣタグリーダである入力装置２２に次々とかざし、表示される付帯情報５１で内容や年齢制限などを確認した後、利用証４０を入力装置２２にかざすだけで当該手続きを完了させることができる。その理由は、管理装置１０がＩＣタグである物ＩＤソース３１から物ＩＤ３２を入力して付帯情報５１を表示装置２１に出力し、その後、利用者ＩＤソース４１から利用者ＩＤ４２を入力して貸し出し登録（管理ファイル６０への登録）を行うからである。
【００３２】
利用者は、利用者ＩＤ４２、物ＩＤ３２の入力後に、貸し出しボタンなどを押す必要がない。
【００３３】
第２の効果は利用者による貸し出し中止手続きを簡単にできることである。利用者は、管理物３０を入力装置２２に次々とかざし、付帯情報５１を確認した上で貸し出しをやめる場合は、そのまま立ち去るだけでよい。その理由は、管理装置１０が、物ＩＤ３２を入力して付帯情報５１を出力した後、利用者ＩＤ４２を入力する前に対人センサ２３から利用者の不在通知を入力すると、物ＩＤ３２の入力情報（候補リスト１２）を無効とするからである。
【００３４】
利用者は、貸し出し中止のために中止ボタンなどを押す必要がない。
【００３５】
なお、管理システム９０の用途は貸し出しシステムには限定されない。管理システム９０は、管理物３０と利用者との対応関係を管理する他の用途にも有用である。管理システム９０は、例えば、管理物３０の譲渡、修理依頼等を管理するシステムであっても良い。
【００３６】
本発明の第２の実施形態では、管理システム９０は、物ＩＤソース３１と利用者ＩＤソース４１のいずれか一方または両方に、コードラベルを使用しても良い。コードラベルは、物ＩＤ３２または利用者ＩＤ４２を表現したバーコードを紙などに印刷して、管理物３０または利用証４０に付するものを意味する。バーコードは、一次元でも多次元でも良い。
【００３７】
本実施形態での入力装置２２はバーコードリーダ、または、バーコードリーダおよびＩＣタグリーダ兼用装置である。例えば、物ＩＤソース３１がＩＣタグであり、利用者ＩＤソース４１がコードラベルである場合、入力装置２２はバーコードリーダおよびＩＣタグリーダ兼用装置となる。この場合、入力装置２２は、バーコードリーダとＩＣタグリーダの別々の２つの装置から構成されていても良い。
【００３８】
本実施形態は、管理システム９０を安価に実現できる。物ＩＤソース３１等として既存のバーコードラベルが、入力装置２２として既存のバーコードリーダが使用出来るからである。
【００３９】
本発明の第３の実施形態では、管理システム９０は、入力した物ＩＤ３２を、ＩＣタグである利用者ＩＤソース４１の図示せぬ格納領域に格納しても良い。
【００４０】
本実施形態での入力装置２２はＩＣタグリーダ兼ＩＣタグライタを備える。
【００４１】
本実施形態は、利用者の管理履歴を取得できる。入力した物ＩＤ３２が、利用証４０に付されたＩＣタグである利用者ＩＤソース４１に格納されるからである。
【００４２】
図３は、本発明の特徴的な構成を示す。本発明の管理装置１０の管理部１１は、管理物３０に付された物ＩＤソース３１から、管理物３０の物ＩＤ３２を入力装置２２経由で入力して、当該物ＩＤ３２に対応する付帯情報５１を表示装置２１に出力する。その後同部は、利用者ＩＤソース４１から利用者ＩＤ４２を入力装置２２経由で入力して、利用者ＩＤ２と物ＩＤ３２と対応付けて管理ファイル６０に格納する。
【図面の簡単な説明】
【００４３】
【図１】管理システムの全体構成図である。
【図２】管理部のフローチャートである。
【図３】管理装置の構成図である。
【符号の説明】
【００４４】
１０    管理装置
１１    管理部
１２    候補リスト
１３    カレンダー
１９    管理プログラム
２０    端末装置
２１    表示装置
２２    入力装置
２３    対人センサ
２４    キーボード
３０    管理物
３１    物ＩＤソース
３２    物ＩＤ
４０    利用証
４１    利用者ＩＤソース
４２    利用者ＩＤ
５０    情報表
５１    付帯情報
６０    管理ファイル
６１    日付
９０    管理システム
【図１】
0005128894.tif 000002
【図２】
0005128894.tif 000003
【図３】
0005128894.tif 000004